(57)【特許請求の範囲】
【請求項１】
腕輪のための伸長可能な留め金であって、腕輪の第１の組み紐（４）が固定されている蓋（３）と腕輪の開放と腕輪の長さの調節との少なくとも一方を可能にする押圧片（５）とを具備する第１の組立体（１）と、第１の組立体（１）が腕輪の長手方向に摺動するようにしている第２の組立体（２）とを含み、前記押圧片（５）は蓋（３）に設けられた側面（７）に形成された開口（６）から出ており、前記第２の組立体（２）は、相互に折り返し可能で第１の端部が関節接合部（１０）により相互に取付けられている第１の薄板片（８）と第２の薄板片（９）とを具備し、第１の薄板片（８）はフック（１１）が設けられるとともにその第２の端部に腕輪の第２の組み紐（１２）を固定する手段（５０）が取付けられ、第２の薄板片（９）はその第２の端部が関節接合部（１３，１４）により装置（１５）に取付けられ、装置（１５）にはフック（１１）を取付け留め金を閉鎖できるようにし、前記装置（１５）には割出手段（１６）が設けられており、前記押圧片（５）には位置決め手段（１７）が設けられており、前記留め金の長さは前記位置決め手段を前記割出手段から解放することによって調節され、調節された前記留め金の長さは、前記留め金を開放した場合であっても、前記位置決め手段を前記割出手段に係合させることによって保持され、
前記割出手段（１６）は複数の切込み（２７〜３１、４２〜４６）を備えており、前記位置決め手段（１７）は第一の止め具（３２）および第二の止め具（４０）を備えており、前記留め金の長さは前記止め具を前記複数の切込みのうちの一つの切込みから解放することによって調節され、調節された前記留め金の長さは前記止め具を他の切込みに係合させることによって保持されることを特徴とする腕輪のための伸長可能な留め金。
【請求項２】
腕輪のための伸長可能な留め金であって、腕輪の第１の組み紐（４）が固定されている蓋（３）と腕輪の開放と腕輪の長さの調節との少なくとも一方を可能にする押圧片（５）とを具備する第１の組立体（１）と、第１の組立体（１）が腕輪の長手方向に摺動するようにしている第２の組立体（２）とを含み、前記押圧片（５）は蓋（３）に設けられた側面（７）に形成された開口（６）から出ており、前記第２の組立体（２）は、相互に折り返し可能で第１の端部が関節接合部（１０）により相互に取付けられている第１の薄板片（８）と第２の薄板片（９）とを具備し、第１の薄板片（８）はフック（１１）が設けられるとともにその第２の端部に腕輪の第２の組み紐（１２）を固定する手段（５０）が取付けられ、第２の薄板片（９）はその第２の端部が関節接合部（１３，１４）により装置（１５）に取付けられ、装置（１５）にはフック（１１）を取付け留め金を閉鎖できるようにし、前記装置（１５）には割出手段（１６）が設けられており、前記押圧片（５）には位置決め手段（１７）が設けられており、前記留め金の長さは前記位置決め手段を前記割出手段から解放することによって調節され、調節された前記留め金の長さは、前記留め金を開放した場合であっても、前記位置決め手段を前記割出手段に係合させることによって保持され、
第２の薄板片（９）に蝶着された装置（１５）が第１の矩形板（１８）を含み、第１の矩形板（１８）の横断方向の縁（１９）が前記第２の薄板片（９）が連結される蝶番突起（１３）を担持し、第１の矩形板（１８）の長手方向の縁（２０，２１）が第１のＵ形部（２２）と第２のＵ形部（２３）の形状に折り返され、第１のＵ形部（２２）の底（２４）に長さ方向に沿って移動可能な押圧片（５）により貫通される矩形の溝（２５）が設けられ、前記溝（２５）の細長い縁には複数の切込み（２７〜３１）が設けられ、前記切込みの１つ（２９）に押圧片（５）に形成された少なくとも１つの第１の止め具（３２）が横断方向に係合することができ、前記第１の矩形板（１８）はフック（１１）が導入される開口（３３）が設けられ、前記装置（１５）はさらに第１の矩形板（１８）の上に横断方向に摺動するよう取付けられた第２の矩形板（３４）を含み、第２の矩形板（３４）の長手方向の縁の一方（３５）が上昇され戻しばね（３７）の第１の端部が当接する壁（３６）を形成し、前記ばねの第２の端部が第２のＵ形部（２３）の底（３８）に当接し、前記第２の矩形板（３４）には押圧片（５）に形成された少なくとも１つの第２の止め具（４０）が長手方向に動くことのできる矩形の溝（３９）が設けられ、前記溝（３９）の細長い縁の一方（４１）には前記第２の止め具（４０）がその１つに係合することのできる複数の切込み（４２〜４６）が設けられ、前記第２の矩形板（３４）にはフック（１１）が導入される開口（４７）が設けられ、前記開口（４７）の縁が、フック（１１）に形成されたくさび形の突起（４９）が摺動することのできる斜面（４８）を有していることを特徴とする伸長可能な留め金。
【請求項３】
第２の薄板片（９）に蝶着された装置（１５）が第１の矩形板（１８）を含み、第１の矩形板（１８）の横断方向の縁（１９）が前記第２の薄板片（９）が連結される蝶番突起（１３）を担持し、第１の矩形板（１８）の長手方向の縁（２０，２１）が第１のＵ形部（２２）と第２のＵ形部（２３）の形状に折り返され、第１のＵ形部（２２）の底（２４）に長さ方向に沿って移動可能な押圧片（５）により貫通される矩形の溝（２５）が設けられ、前記溝（２５）の細長い縁には複数の切込み（２７〜３１）が設けられ、前記切込みの１つ（２９）に押圧片（５）に形成された少なくとも１つの第１の止め具（３２）が横断方向に係合することができ、前記第１の矩形板（１８）はフック（１１）が導入される開口（３３）が設けられ、前記装置（１５）はさらに第１の矩形板（１８）の上に横断方向に摺動するよう取付けられた第２の矩形板（３４）を含み、第２の矩形板（３４）の長手方向の縁の一方（３５）が上昇され戻しばね（３７）の第１の端部が当接する壁（３６）を形成し、前記ばねの第２の端部が第２のＵ形部（２３）の底（３８）に当接し、前記第２の矩形板（３４）には押圧片（５）に形成された少なくとも１つの第２の止め具（４０）が長手方向に動くことのできる矩形の溝（３９）が設けられ、前記溝（３９）の細長い縁の一方（４１）には前記第２の止め具（４０）がその１つに係合することのできる複数の切込み（４２〜４６）が設けられ、前記第２の矩形板（３４）にはフック（１１）が導入される開口（４７）が設けられ、前記開口（４７）の縁が、フック（１１）に形成されたくさび形の突起（４９）が摺動することのできる斜面（４８）を有していることを特徴とする請求項１または２に記載の伸長可能な留め金。
【請求項４】
留め金が閉じた位置にある時、押圧片が緩み第１の止め具（３２）が第１の矩形板（１８）の切込み（２９）に係合され留め金の長さを決定するようにし、留め金が長さを調節する位置にある時、押圧片が押し込まれ第１の止め具（３２）が第１の矩形板（１８）の切込み（２７〜３１）から外され第１の組立体（１）が第２の組立体（２）に対し留め金を開くことなく長手方向に移動できるようにし、留め金が開くようにされた時押圧片が押し込まれフック（１１）のくさび状の突起（４９）が第２の矩形板をばね（３７）の戻る力に抗して横断方向（Ｂ）に摺動させ切込み（４２〜４６）の１つ（４４）を第２の止め具（４０）に係合し第１の組立体（１）が第２の組立体（２）に対し長手方向に動くのを阻止し、留め金が開いた位置にある時押圧片が緩み第１の止め具（３２）が第１の矩形板（１８）の切込み（２９）に係合され第１の組立体（１）が第２の組立体（２）に対し長手方向に動くのを阻止し、留め金が閉じるようにされた時押圧片が自由となり第２の矩形板（３４）の開口（４７）の傾斜した縁（４８）の下端（５１）がフック（１１）に設けられた斜面（５２）に沿って摺動し前記第２の矩形板をばね（３７）の戻る力に抗して横断方向に摺動させその切込み（４２〜４６）の１つ（４４）を第２の止め具（４０）に係合し第１の組立体（１）が第２の組立体（２）に対して長手方向に動くのを全て阻止するようにしていることを特徴とする請求項３に記載の伸長可能な留め金。
【請求項５】
押圧片（５）が、第１の矩形板（１８）の切込み（２７〜３１）の内部で係合されるようになっている２つの第１の止め具（３２，５３）と、第２の矩形板（３４）の切込み（４２〜４６）の内部で係合されるようになっている２つの第２の止め具（４０，５４）とを含んでいることを特徴とする請求項３に記載の伸長可能な留め金。
【請求項６】
第１の矩形板（１８）の第１のＵ形部（２２）の自由端（５５）には押圧片（５）に設けられた２つの第３の止め具（６１，６２）が係合されるようになっている複数の切込み（５６〜６０）が設けられていることを特徴とする請求項５に記載の伸長可能な留め金。
【請求項７】
第１の矩形板（１８）と第２の矩形板（３４）とがそれぞれ５個の切込みを有し、留め金の４つの異なる長さを選択できるようにしていることを特徴とする請求項５に記載の伸長可能な留め金。
【発明の詳細な説明】
【０００１】
【発明の属する技術分野】
本発明は腕輪のための伸長可能な留め金に関し、特に開くバックルの型式の時計の腕輪のための留め金に関する。
【０００２】
長さが腕輪の長手方向に調節できる留め金はすでに提案されており、この長さを調節するのは腕輪を着用する手首の外形に腕輪を最も良く適合させるためである。
【０００３】
【従来の技術】
特許文献スイス特許第６６７９７９号はわん曲した薄板に蝶着されかつ腕輪の第１及び第２の組み紐にそれぞれ固定された２つの組立体を含む留め金を記載している。この組立体の一方が摺動関節接合部により中央薄片に取付けられ腕輪の長さを使用者の意志にしたがって容易に調節することができるようにしている。この関節接合された組立体はまた押圧片に固定された掛け止めフックを具備し、このフックが中央薄板に設けられた開口の１つに嵌まるようになっている。
【０００４】
特許文献ヨーロッパ特許公開第０３５０７８５号はフックを担持する第１の要素と引金が下側に配設されている第２の要素とを含む留め金を記載している。第２の要素には開口が設けられこの開口は２つの同一の孔が腕輪の長手方向に並んで配設されたのが見えるようにしている。フックは手首の周りに腕輪を緊密に巻きつけるか緩く巻きつけるかによって第１の孔又は第２の孔に選択して掛け止めすることができる。
【０００５】
上記引用の２つの文献は留め金が開かれるたびにこの調節された長さを保持できなくなるという大きな欠点を有している。これはしたがって留め金を閉じるたびに最適の長さの位置をもう１度捜すことを必要とする。
【０００６】
この欠点を解消するため、このような留め金が開かれた時長さの調節を記憶しておく留め金が提案されている。
【０００７】
したがって、特許文献スイス特許第６５３２２６号はアームが蝶着される端部にラックを担持した基板片を有する開くバックルを備えた留め金を提案している。ラックの間隔の一方又は他方は腕輪の長さを決定するアームによって担持された枢軸の支持体として作用する。アーム上のフックの突出は基板片の内側側面を把持することにより留め金を掛止するのを保証する。この長さ調節のための押圧片を有しない装置は、留め金を開き、適当な調節を得るために数回の試みを必要とする調節を続けることが必要となるという欠点を生じる。
【０００８】
留め金の長さの調節の保持はまた特許文献スイス特許第６６８３５３号に示されている。この文献においては、開くバックルを備えた留め金を閉じられた位置のカバーの下側に折り返すようになっている第１及び第２の部分を具備している。腕輪の組み紐の１つが摺動路の中を摺動するようになっている２つの対向する押圧片を含む要素に取付けられている。この押圧片は、押圧片が閉じた位置にある時第１の部分によって担持されたフランジにひっかかるように持って来られるフックを具備している。押圧片の一方はさらに要素位置決め手段を含み、この手段はカバー遮蔽体により担持された割出し手段と共働し、前記手段は腕輪の長さを変えることができるようにする。この留め金の主要な実施態様が留め金の開いた時留め金の長さを記憶しておくことができなかった場合は、変形例として提案された１つの実施態様が留め金を第１の押圧片に固定しそして第２の押圧片に長さを調節して固定するようにしている。このやり方は、このような機能の一方又は他方を生じるために作用することが必要な押圧片を解消しなければならないという、必らずしも自明でない欠点を有することが理解されるであろう。
【０００９】
【発明が解決しようとする課題】
引用された文献に記載されている留め金の有する欠点を解消するため、本発明の留め金は単一の押圧片を使用することで前記留め金の長さの調節を記憶しておくことができ同時に調節作用、この調節の記憶の保存及び留め金の開放を行うことができるようにする。
【００１０】
【課題を解決するための手段】
上記の目的を達成するため、本発明の伸長可能な留め金は、腕輪の第１の組み紐が固定された蓋と、留め金の開放とその長さの調節の少なくとも一方を可能とする押圧片とを具備する第１の組立体を含み、前記押圧片が前記蓋によってもたらされる側面に形成された開口から現われるようになっており、さらに留め金は第１の組立体が腕輪の長手方向に摺動するようになっている第２の組立体を含み、この第２の組立体が第１及び第２の薄板片を具備し、この薄板片が相互に折返し可能でその各第１の端部が関節接合により相互に取付けられ、第１の薄板片はフックが設けられるとともにその第２の端部に腕輪の第２の組み紐を固定する手段が取付けられ、第２の薄板片はその第２の端部が関節接合により、フックが留め金を固定するよう取付けられる装置に取付けられ、この装置に押圧片が作用し留め金を開くことができるようにし、前記装置と前記押圧片とにそれぞれ割出し手段と位置決め手段とが設けられ留め金の長さの調節をしかつこの調節を前記留め金が開かれた時記憶することができるようにしている、という点で注目すべきものである。
【００１１】
【発明の実施の形態】
本発明は以下に例示として与えられ図面によって示される記載を読むことにより理解されるであろう。
【００１２】
図１と２は本発明の留め金の斜面図で、図１はこの留め金の閉じた位置を示し、図２は留め金の開いた位置を示している。この留め金は伸長可能であり、上記した従来技術を示す留め金のような開くバックル型式のものである。
【００１３】
本発明の留め金は、腕輪の第１の組み紐４が詳細には図示されていない公知の方法で固定されている蓋３を具備する第１の組立体１を含んでおり、この第１の組み紐はここでは破線で示されている。第１の組立体１はまた押圧片５を含み、押圧片５は蓋３が有する側面７に形成された開口６から現出している。読者はここで、開口６の寸法が押圧片５の断面の寸法に実質的に等しくそれにより蓋３が長手方向に移動された時押圧片が蓋３により引込められ、この押圧片が横断方向にのみ動くことのできるようになっているという事実に気づくであろう。この押圧片は以下にさらに説明されるように、留め金の開放とその長さの調節の少なくとも一方を可能にする。
【００１４】
本発明の留め金はさらに第２の組立体２を含み、この第２の組立体２は以下にさらに明らかとなるように、第１の組立体１の下側を腕輪の長手方向に摺動するようになっている。図１と２は第２の組立体の斜面図である図３と共に、第２の組立体が相互に折り返すことのできる第１の薄板片８と第２の薄板片９とを具備し、この２つの薄板片はその第１の端部が関節接合部１０により相互に取付けられることを示している。図２と３に明らかなように、第１の薄板片８はフック１１が設けられこの第１の薄板片８の第２の端部には、ここでは破線で示される腕輪の第２の組み紐１２を固定することのできる手段５０が取付けられている。この固定手段５０はここでは第２の組み紐１２に取付けるためピンにより貫通されることが予測される２つの突起により図示されている。図３に見られるように、第２の薄板片９はその第２の端部が関節接合部１３，１４により、蓋３により隠されているため図１と２では見えない装置１５に取付けられている。図３では容易に見えるこの装置１５にフック１１は固定でき、留め金を閉鎖する。その最も幅の広い方向に、本発明の中核を構成する装置１５には割出し手段１６が設けられ、押圧片により担持された位置決め手段１７が留め金の長さを調節し前記留め金が開かれた時この調節を記憶しておくことができるようにする。
【００１５】
図３，４及び５を参照して本発明の好適な実施態様が以下に記載される。図３は第２の組立体２と押圧片５のみを示し、押圧片５は第１の組立体１の一部であり、この押圧片は蓋３（図１と２を参照）の開口６の内部で横断方向に動くことが予期される。図４は留め金の切断平面図で、この図では、第１の組立体１がその蓋３とその押圧片５と共に見え、また第２の組立体２がその装置１５と、腕輪の第２の組み紐１２（図示しない）の固定手段５０とフック１１とが取付けられているその第１の薄板片８と共に見えている。図５は図４のＶ−Ｖ線に沿った断面図である。
【００１６】
第２の組立体２の第２の薄板片９に蝶着された装置１５は第１の矩形板１８を含んでいる。この第１の矩形板の横方向の縁１９が蝶番突起１３を担持し、この蝶番突起１３に２つの蝶番突起１４を担持する第２の薄板片９自体が関節接合するように持って来られる。この第１の矩形板１８の長手方向の縁２０と２１が第１のＵ形部２２と第２のＵ形部２３の形式に折り返される。第１のＵ形部２２の底２４に矩形の溝２５（図３参照）があけられ、この溝２５はこれに沿って長手方向に移動される押圧片５により貫通され、底２４は押圧片５と共に押圧片が取付けられる蓋３を形成している。溝２５の細長い縁の一方に複数の切込み２７から３１が設けられる。この切込みの１つ２９に押圧片５に設けられた少なくとも１つの第１の止め具３２が横方向に係合できるようになっている。第１の矩形板１８はフック１１が導入される開口３３が設けられた残り部分がある。
【００１７】
装置１５はさらに第１の矩形板１８に横方向に摺動可能に取付けられた第２の矩形板３４を含んでいる。第１の矩形板の横方向の縁１９が部分的に直角に上昇され第２の矩形板３４が第１の矩形板１８に対し長手方向に移動しないようにすることがわかるであろう。第２の矩形板の長手方向の縁の一方が上昇され戻りばね３７の第１の端部が当接する壁３６を形成するようにし、この戻りばねの第２の端部が第１の矩形板１８の第２のＵ形部２３の底３８に当接するようにしている。第２の矩形板３４はまた矩形の溝３９が設けられこの溝３９の中を押圧片５に設けられた少なくとも１つの第２の止め具４０が長手方向に動くことができる。溝３９の細長い縁４１の一方にはまた複数の切込み４２から４６が設けられる。この切込みの１つ４４に第２の止め具４０が横断方向に係合される。最後に、第２の矩形板３４はフック１１を導入することのできる開口４７が設けられる。この開口の一方の縁はフック１１に設けられたくさび状突起４９が摺動することのできる斜面４８に切断される。終わりに、装置１５の切込みが割出し手段であり押圧片５の止め具が装置の位置決め手段であり、これら手段はすでに説明されていることがわかるであろう。
【００１８】
留め金を構成する種々の要素について述べた上記の記載により、その作用が説明される。
【００１９】
図４と５は閉じられた又は封鎖された位置の留め金を示す。この場合押圧片５は緩められ、前記押圧片５の第１の止め具３２が、留め金の長さを決定しそれにより第１の組立体１が第２の組立体２に対し移動するのを全て阻止する第１の矩形板１８の切込みに係合される。この状態で、第２の矩形板３４の長手方向の縁７０が第１の矩形板１８の第１のＵ形部２２の底に当接し、ばね３７が緩められフック１１のくさび状突起４９の底部が第２の矩形板３４に当接し、それにより留め金を閉鎖する。
【００２０】
図６と７は留め金が長さ調節位置にあるところを示す。これを達成するため、押圧片を矢印Ｃの方向に押し、押圧片５の第１の止め具３２を第１の矩形板１８の切込み２９から外す。この瞬間、第１の組立体１、すなわち第１の組立体がもたらす蓋３と押圧片５が自由に第２の組立体２の上を長手方向に移動することができそして第１の止め具３２が例えば対向切込み２８に持って来られ留め金を長くし、又は例えば対向切込み３０に持って来られ留め金を短くする。この調節が選択されると、押圧片５は緩められ図４と５を参照して記載された閉鎖位置が再びもたらされる。図６と７で示される調節位置において、第２の矩形板３４の長手方向の縁７０に作用する第１の止め具３２が前記第２の矩形板を同図の左側に向って摺動させ、最初にばね３７を圧縮しフック１１のくさび形突起４９を矩形板３４の開口４７の斜面４８の上縁に持って来ることがわかるであろう。したがって、この位置では留め金が依然として閉じられた状態にあるが、しかしその長さは留め金を開く必要なしに手首に適合できることがわかる。
【００２１】
図８と９は開放作用の間、さらに正確にはこの開く作用の終期の留め金を示す。この場合押圧片５は押され又は簡単に自由となりそして第１の組立体１が第２の組立体２に対し矢印Ａで示される方向に持ち上げられる。この時フック１１のくさび形突起４９が第２の矩形板３４を依然として圧縮されるばね３７の戻る力に抗して矢印Ｂの方向に横断方向に摺動させる。特に図８に示されるように、第２の矩形板３４の移動は結果として押圧片５の第２の止め具４０の前記第２の矩形板の切込み４４への係合をもたらす。第２の矩形板３４は長手方向には動くことができないので、開放作用の間は、留め金は第１の組立体１が第２の組立体２に対して長手方向に移動することができないため、長さを調節することができない。これはしたがって、上記したように位置の調節の記憶に関係があり、留め金の開放中この位置を維持することを示している。
【００２２】
留め金を図９に示される位置から開くのを続けたならば、フック１１は矩形板３４と１８に形成された開口４７と３３からそれぞれ完全に取外される。
【００２３】
この時、ばね３７によって押された第２の矩形板３４はその長手方向の縁７０によって第１の矩形板１８の切込み２９に係合する止め具３２に作用し、それにより押圧片５をその緩んだ位置（図４と５に示される位置と同じ位置）に置くようにする。したがって、この開いた位置では第１の組立体１は第２の組立体２に対する運動が阻止されここで同様に調節位置の記憶が維持される。しかしこの開放位置では第１の組立体が、押圧片５を押した場合に（図６と７に示される位置）第２の組立体に対して移動できることがわかるであろう。
【００２４】
最後に、留め金を閉じる作用の間、押圧片５は自由となっており（この作用は図には示されていない）、第２の矩形板３４の開口４７の斜めの縁４８の下端５１がフック１１に形成された斜面５２（例えば図５を参照）に沿って摺動する。この摺動作用の間、第２の矩形板３４はばね３７の戻る力に抗して横断方向に摺動しこの第２の矩形板の切込み４４を押圧片５の第２の止め具４０に係合させ（図８と９に示される位置と同じ位置）そして第２の組立体２に対する第１の組立体１の全ての長手方向の動きを阻止し、調節の位置の記憶を維持する。閉鎖する作用の最後はさらに図４と５に示されここでは押圧片が掛止され長手方向に動かないように示されている。
【００２５】
したがって、本発明の最後の目的が達成され、すなわち、留め金が閉じたままの時留め金の長さの調節が可能となりまた留め金が開放作用の間又は閉鎖作用中閉鎖され開放された時この長さの調節の記憶を維持することができるようになる。
【００２６】
上記の説明は押圧片５に取付けた単一の第１の止め具３２と単一の第２の止め具４０についてなされてきた。しかし全ての図面は好ましくはまた安定性のため、第１の矩形板１８の切込み２７から３１に係合するようになっている２つの第１の止め具３２と５３と、第２の矩形板３４の切込み４２から４６に係合するようになっている２つの第２の止め具４０と５４とが用いられることを示している。これらの状態において、矩形板の各々の切込みが５個であったならば、留め金を４つの異なる長さに調節することができる。
【００２７】
さらに留め金の良好な作動と安定性の理由で、図面は第１の矩形板１８の第１のＵ形部２２の端部５５には押圧片５に形成された２つの第３の止め具６１と６２が係合されるようになっている複数の切込み５６から６０が設けられていることを示している。この切込み５６から６０とこの第３の止め具６１と６２とは、第１の止め具３２と５３に共働する切込み２７から３１を参照して説明されたのと同じ役割りを果たすことが理解されるであろう。
【００２８】
本発明を示すこれら図面は平行六面体の形状の切込みと止め具を用いている。このような切込みと止め具は他の形状、例えばある程度止め具の切込みへの突入を容易にすることのできる三角錐の形状とすることができる。
【図面の簡単な説明】
【図１】閉じた位置の留め金の斜面図である。
【図２】開いた位置の留め金の斜面図である。
【図３】留め金の第２の組立体を主として形成する部分の斜面図で、押圧片が前記留め金の開放と長さ設定とができるようにする装置に作用しているところを示し留め金の蓋が示されていない図である。
【図４】留め金が閉じた位置にあり押圧片が緩んでいる切断平面図である。
【図５】図４のＶ−Ｖ線に沿った断面図である。
【図６】留め金が長さ調節位置にあり、押圧片が押込まれている切断平面図である。
【図７】図６のVII −VII 線による断面図である。
【図８】留め金が開いた位置にあり、押圧片が押込まれ又は自由になっている切断平面図である。
【図９】図８のIX−IXによる断面図である。
【符号の説明】
１…第１の組立体
２…第２の組立体
３…蓋
４…第１の組み紐
５…押圧片
６…開口
７…側面
８…第１の薄板片
９…第２の薄板片
１０…関節接合部
１１…フック
１２…第２の組み紐
１３，１４…関節接合部
１５…装置
１６…割出し手段
１７…位置決め手段
１８…第１の矩形板
１９…横断方向の縁
２０，２１…長手方向の縁
２２…第１のＵ形部
２３…第２のＵ形部
２４…底
２５…矩形の溝
２７〜３１…切込み
３２…第１の止め具
３３…開口
３４…第２の矩形板
３６…壁
３７…戻りばね
３８…底
３９…矩形の溝
４０…第２の止め具
４１…細長い縁
４２〜４６…切込み
４８…斜面
４９…くさび状突起
５０…固定手段
７０…第２の矩形板の縁
【図１】
0003920391.tif 000002
【図２】
0003920391.tif 000003
【図３】
0003920391.tif 000004
【図４】
0003920391.tif 000005
【図５】
0003920391.tif 000006
【図６】
0003920391.tif 000007
【図７】
0003920391.tif 000008
【図８】
0003920391.tif 000009
【図９】
0003920391.tif 000010